(57)【要約】【課題】キー本体の挿入後端部にネジ孔を精度良く形成しなくても良いこと。【解決手段】挿入後端部にフランジを有するキー本体と、先端部に前記挿入後端部を受け入れる挿入孔及び内部の突起状部分に嵌合溝を有する摘み部材と、挿入後端部のフランジを受け入れる大径孔及び該大径孔に連続し該挿入後端部のフランジを係止する小径孔とが形成され、かつ嵌合溝に嵌合した状態で位置変位可能な一方の板部分と該一方の板部分に連続すると共に係止部分を有する他方の板部分とから成るキー本体用抜け止め部材と、摘み部材の外壁面側から貫通孔を介して係止部分に係合するロックボルトを備え、キー本体を摘み部材から引き抜く場合には、ロックボルトを摘み部材から取外し、キー本体用抜け止め部材をスライドさせて挿入後端部のフランジを前記大径孔に合わせる携帯型の錠前用キー。【選択図】図３
2016084627.tif 000002
【特許請求の範囲】
【請求項１】
挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面側から貫通孔を介して前記係止部分に係合するロックボルトを備え、
前記キー本体を前記摘み部材から引き抜く場合には、前記ロックボルトを摘み部材から取外し、前記キー本体用抜け止め部材をスライドさせて前記挿入後端部のフランジを前記大径孔に合わせることを特徴とする携帯型の錠前用キー。
【請求項２】
請求項１に於いて、キー本体を摘み部材に取付ける場合には、その挿入後端部のフランジから挿入孔を介して摘み部材に差込み、かつ前記フランジをキー本体用抜け止め部材の大径孔に貫通させ、その状態で該キー本体用抜け止め部材をスライドさせて前記挿入後端部のフランジの内周面を小径孔の縁部分に合わせ、ロックボルトでキー本体用抜け止め部材を係止することを特徴とする携帯型の錠前用キー。
【請求項３】
請求項１又は請求項２に於いて、キー本体用抜け止め部材を位置変位させる場合には、ロックボルトを摘み部材から取外した状態で摘み部材の外壁面側から貫通孔を介してかつバー状操作具を用いて該キー本体用抜け止め部材を直線的にスライドさせることを特徴とする携帯型の錠前用キー。
【請求項４】
請求項１に於いて、キー本体用抜け止め部材の小径孔に支持されるキー本体の挿入後端部のキー軸方向と直交する断面形状は多角形又は略円形のいずれかであり、キー本体は該キー本体用抜け止め部材に回動可能に支持されていることを特徴とする携帯型の錠前用キー。
【請求項５】
請求項１に於いて、摘み部材は、前記挿入孔を有すると共に底壁面から突出する前記突起状部分を有する第１カバー体と、前記貫通孔を有すると共に前記第１カバー体に周端面を重ね合せる第２カバー体と、この第２カバー体と第１カバー体とを一体的に結合する固着具とから成ることを特徴とする携帯型の錠前用キー。
【請求項６】
挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続する他方の板部分とから成るキー本体用抜け止め部材と、前記キー本体用抜け止め部材を前記挿入後端部のフランジを係止する方向に常に付勢する付勢手段を備え、前記キー本体を前記摘み部材から引き抜く場合には、前記キー本体用抜け止め部材を前記付勢手段の付勢力に抗してスライドさせて前記挿入後端部のフランジを前記大径孔に合わせることを特徴とする携帯型の錠前用キー。
【請求項７】
請求項６に於いて、摘み部材には外壁面から嵌合溝まで至る筋状の差し込み溝が形成され、キー本体用抜け止め部材を位置変位させる場合には、細長い操作具を前記差し込み溝に差し込み、キー本体用抜け止め部材を付勢手段の付勢力に抗してスライドさせて挿入後端部のフランジに前記大径孔に合わせることを特徴とする携帯型の錠前用キー。
【請求項８】
挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面の一部に設けられ、かつ前記係止部分に係合する係合突起を有する前記キー本体用抜け止め部材用のロック板を備え、前記キー本体を前記摘み部材から引き抜く場合には、前記ロック板を摘み部材から取外して前記キー本体用抜け止め部材と前記ロック板３Ａとのロック状態を解消し、さらに、前記キー本体用抜け止め部材をスライドさせて前記挿入後端部のフランジを前記大径孔に合わせることを特徴とする携帯型の錠前用キー。
【請求項９】
挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面の一部に設けられ、かつ前記係止部分に係合する係合突起を有する前記キー本体用抜け止め部材用のロック板を備え、前記キー本体を前記摘み部材から引き抜く場合には、前記ロック板を摘み部材の後端部側にスライドさせて前記キー本体用抜け止め部材と前記ロック板とのロック状態を解消し、さらに、前記キー本体用抜け止め部材をスライドさせて前記挿入後端部のフランジを前記大径孔に合わせることを特徴とする携帯型の錠前用キー。
【請求項１０】
第１カバー体と、該第１カバー体に一体的に結合すると共に内壁面に係合突起を有する第２カバー体とから成り、かつ先端部に挿入孔を有する摘み部材と、この摘み部材に前記挿入孔を介して差込まれ、挿入後端部にフランジを有するキー本体と、前記摘み部材に組み込まれ、かつ前記挿入後端部のフランジを受け入れる大径孔及び該大径孔に連続し該挿入後端部のフランジを係止する小径孔とが形成され、かつ前記摘み部材の内部に形成された嵌合溝に嵌合した状態で位置変位可能な一方の板部分と該一方の板部分に連続すると共に前記係合突起と係合する係止部分を有する他方の板部分とから成るキー本体用抜け止め部材とを備え、前記キー本体を前記摘み部材から引き抜く場合には、前記第２カバー体を前記第１カバー体から分離して前記係止部分と前記係合突起との係合状態を解消し、さらに、前記キー本体用抜け止め部材をスライドさせて前記挿入後端部のフランジを前記大径孔に合わせることを特徴とする携帯型の錠前用キー。
【発明の詳細な説明】
【技術分野】
【０００１】
本発明は、建具の錠前を施・解錠することができる携帯型の錠前用キーに関する。
【背景技術】
【０００２】
【特許文献１】特許文献１の発明の課題は、キーブレードのキーヘッド部との固定部におけるがたつきのない解錠キーの提供することで、その解決手段は、ブレード挿入孔１を備えたキーヘッド部２と、ブレード挿入孔１に挿入され、挿入先端部にネジ孔３を備えたキーブレード４と、ブレード挿入孔１の壁面を貫通してキーブレード４のネジ孔３にねじ込まれ、キーブレード４をねじ込み始端側に引き込むビス５とを有し、前記ブレード挿入孔１のビス貫通側壁面は干渉突部６により前記キーブレード４が通過不能の幅まで減幅され、前記干渉突部６に前記ビス５のねじ込みにより押圧され、前記キーブレード４を挟持することである（符号は特許文献１のもの）。
【０００３】
上記の発明の問題点は、キーブレード（キー本体）の挿入後端部及びキーヘッド部（摘み部材）の先端部の両方に、それぞれビス用のネジ孔を精度良く形成しなければならない（部材が異なる両方のビス用のネジ孔は、正確な位置・寸法等が要求される）、キーブレードが回転する場合にはキーブレードをキーヘッド部に容易に固定することができない。キーヘッド部に固定するキーブレードが限定される、ビスだけで止めるので抜け防止の強化を図ることができない等である。
【先行技術文献】
【特許文献】
【０００４】
【特許文献１】特開２００７−２９７７７５号公報
【発明の概要】
【発明が解決しようとする課題】
【０００５】
本願発明の第１の目的は、キー本体の挿入後端部にネジ孔を精度良く形成しなくても良いことである。また、キー本体の抜け防止の強化を図ることができる。第２の目的は、キーブレードが回転する場合であっても容易に、かつ、確実にキーブレードをロックすることができることである。第３の目的は、好ましくは、摘み部材（キーヘッド）が二分割することができる実施形態であっても、摘み部材を分割することなく、キーブレードを脱着することができることである。その他の目的は、摘み部材の一部を構成するロック板を摘み部材から取り外す、又はロック板をスライドさせる、或いは摘み部材を構成する一方のカバー体を他方のカバー体から取り外すことにより、キーブレードを交換することができることである。
【課題を解決するための手段】
【０００６】
本発明の携帯型の錠前用キーは、挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面側から貫通孔を介して前記係止部分に係合するロックボルトを備え、前記キー本体を前記摘み部材から引き抜く場合には、前記ロックボルトを摘み部材から取外し、前記キー本体用抜け止め部材をスライドさせて前記挿入後端部のフランジを前記大径孔に合わせることを特徴とする。
【０００７】
また本発明の携帯型の錠前用キーは、挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続する他方の板部分とから成るキー本体用抜け止め部材と、前記キー本体用抜け止め部材を前記挿入後端部のフランジを係止する方向に常に付勢する付勢手段を備え、前記キー本体を前記摘み部材から引き抜く場合には、前記キー本体用抜け止め部材を前記付勢手段の付勢力に抗してスライドさせて前記挿入後端部のフランジをに前記大径孔に合わせることを特徴とする。
【０００８】
また本発明の携帯型の錠前用キーは、挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面の一部に設けられ、かつ前記係止部分に係合する係合突起を有する前記キー本体用抜け止め部材用のロック板を備え、前記キー本体を前記摘み部材から引き抜く場合には、前記ロック板を摘み部材から取外して前記キー本体用抜け止め部材と前記ロック板とのロック状態を解消し、さらに、前記キー本体用抜け止め部材をスライドさせて前記挿入後端部のフランジを前記大径孔に合わせることを特徴とする。
【０００９】
また本発明の携帯型の錠前用キーは、挿入後端部にフランジを有するキー本体と、先端部に前記挿入後端部を受け入れる挿入孔及び内部の突起状部分に嵌合溝を有する摘み部材と、前記挿入後端部のフランジを受け入れる大径孔及び該大径孔に連続し該挿入後端部のフランジを係止する小径孔とが形成され、かつ前記嵌合溝に嵌合した状態で位置変位可能な一方の板部分と該一方の板部分に連続すると共に係止部分を有する他方の板部分とから成るキー本体用抜け止め部材と、前記摘み部材の外壁面の一部に設けられ、かつ前記係止部分に係合する係合突起を有する前記キー本体用抜け止め部材用のロック板を備え、前記キー本体を前記摘み部材から引き抜く場合には、前記ロック板を摘み部材の後端部側にスライドさせて前記キー本体用抜け止め部材と前記ロック板  とのロック状態を解消し、さらに、前記キー本体用抜け止め部材をスライドさせて前記挿入後端部のフランジを前記大径孔に合わせることを特徴とする。
【００１０】
さらに、本発明の携帯型の錠前用キーは、第１カバー体と、該第１カバー体に一体的に結合すると共に内壁面に係合突起を有する第２カバー体とから成り、かつ先端部に挿入孔を有する摘み部材と、この摘み部材に前記挿入孔を介して差込まれ、挿入後端部にフランジを有するキー本体と、前記摘み部材に組み込まれ、かつ前記挿入後端部のフランジを受け入れる大径孔及び該大径孔に連続し該挿入後端部のフランジを係止する小径孔とが形成され、かつ前記摘み部材の内部に形成された嵌合溝に嵌合した状態で位置変位可能な一方の板部分と該一方の板部分に連続すると共に前記係合突起と係合する係止部分を有する他方の板部分とから成るキー本体用抜け止め部材とを備え、前記キー本体を前記摘み部材から引き抜く場合には、前記第２カバー体を前記第１カバー体から分離して前記係止部分と前記係合突起との係合状態を解消し、さらに、前記キー本体用抜け止め部材をスライドさせて前記挿入後端部のフランジを前記大径孔に合わせることを特徴とする。
【発明の効果】
【００１１】
（ａ）独立請求項に記載の発明は、キー本体用抜け止め部材の係止孔でキー本体の挿入後端部を係止するので、キー本体の挿入後端部にネジ孔を精度良く形成しなくても良い。またキー本体が摘み部材から容易に抜けない。
（ｂ）請求項２に記載の発明は、ロックボルトでキー本体用抜け止め部材の移動を確実に阻止することができる。
（ｃ）請求項３に記載の発明は、ロックボルトを摘み部材から取外することにより、好ましくは、摘み部材が二分割することができる実施形態であっても、摘み部材を分割することなく、キーブレードを脱着することができる。
（ｄ）請求項４に記載の発明は、キー本体が回転する場合であっても容易に、かつ、確実にキー本体をロックすることができると共に、キー本体用抜け止め部材に軸受機能を持たせることができる。
（ｅ）請求項５に記載の発明は、摘み部材は二分割されているので、必要に応じて、摘み部材の第１カバー体から第２カバー体を外して、キー本体のみならず、摘み部材に内装されている電子部品を交換することができる。
（ｆ）請求項７に記載の発明は、摘み部材（キーヘッド）が二分割することができる実施形態であっても、摘み部材を分割することなく、キーブレードを脱着することができる。
（ｇ）請求項８乃至請求項１０に記載の各発明は、摘み部材の一部を構成するロック板を摘み部材から取り外す、又はロック板をスライドさせる、或いは摘み部材を構成する一方のカバー体を他方のカバー体から取り外すことにより、キーブレードを交換することができる。
【図面の簡単な説明】
【００１２】
図１乃至図１４は本発明の第１実施形態を示す各説明図。図１５は第２実施形態の斜視図。図１６乃至図２０は本発明の第３実施形態を示す各説明図。図２１乃至図２４は本発明の第４実施形態を示す各説明図。図２５乃至図２８は本発明の第５実施形態を示す各説明図。さらに、図２９乃至図３１は本発明の第６実施形態を示す各説明図。
【図１】全体の外観構成を示す斜視図。
【図２】摘み部材の第２カバー体（図１の上方カバー体）を第１カバー体から取り外した平面視からの説明図。
【図３】主要部の分解斜視図（キー本体は挿入後端部のみ）。
【図４】第１カバー体の平面視からの説明図（キー本体用抜け止め部材、ロックボルト等は図示せず）。
【図５】要部の斜視図（キー本体用抜け止め部材、キー本体の挿入後端部、ロックボルト）。
【図６】キー本体の後端部をキー本体用抜け止め部材の大径孔に差込む場合（又は引き抜く場合）の概略説明図。
【図７】キー本体用抜け止め部材が位置変位する場合（例えば小径孔でキー本体の挿入後端部をロックする場合）の概略説明図。
【図８】ロックボルトでキー本体用抜け止め部材をロックする場合の概略説明図。
【図９】図１に於いて、ロックボルトを外した場合の説明図。
【図１０】図１に於いて、摘み部材からキー本体を引き抜いた説明図。
【図１１】キー本体の正面図。
【図１２】キー本体の左側面図。
【図１３】キー本体の正面図を基準にしたトリガー部材、キー本体用抜け止め部材、内係合体、外係合体、復帰バネ、緩衝バネの位置関係を示す概略説明図。
【図１４】主たる部材の分解斜視図（キー本体の後端部、トリガー部材、内係合体、バネ受けリング、復帰バネ、外係合体、緩衝バネ、キー本体用抜け止め部材、ロックボルト）。
【図１５】第２実施形態の斜視図（キー本体用抜け止め部材）。
【図１６】第３実施形態の斜視図。
【図１７】第１カバー体の平面視からの説明図（キー本体用抜け止め部材、付勢手段を図示）。
【図１８】図３と同様の分解斜視図（キー本体は挿入後端部のみ）。
【図１９】要部の斜視図（キー本体用抜け止め部材、キー本体の挿入後端部、付勢手段）。
【図２０】（ａ）ロック状態に於いて、細長い操作具を差し込み溝に差し込んだ状態の概略説明図。（ｂ）  細長い操作具でキー本体用抜け止め部材を押込み、ロックを解いた概略説明図。
【図２１】第４実施形態の斜視図。
【図２２】主要部の分解斜視図（キー本体は挿入後端部のみ）。
【図２３】要部（ロック板）を取り外した概略説明図。
【図２４】要部（ロック板）のロック状態の概略説明図。
【図２５】第５実施形態の斜視図。
【図２６】主要部の分解斜視図（キー本体は挿入後端部のみ）。
【図２７】要部（ロック板）をスライドさせた概略説明図。
【図２８】要部（ロック板）のロック状態の概略説明図。
【図２９】第６実施形態の斜視図。
【図３０】主要部の分解斜視図（キー本体は挿入後端部のみ）。
【図３１】要部（係止部分と係合突起との係合状態）  の概略説明図。
【発明を実施するための最良の形態】
【００１３】
（１）全体の外観構成
図１は携帯型の錠前用キーＸの全体の外観構成を示す斜視図である。錠前用キーを、以下、単に「キーＸ」という。この図１に於いて、１はキーヘッドと称される摘み部材、２は前記キーヘッドに対して脱着可能な棒状のキー本体である。また３はロックボルト、４は摘み部材用固着具である。摘み部材１は、先端部の略中央部に挿入孔５を有する第１カバー体１ａと、ロックボルト用の貫通孔６を有すると共に前記第１カバー体１ａに周端面を重ね合せる第２カバー体１ｂと、この第２カバー体１ｂと第１カバー体１ａとを複数個のネジ孔７，７を介して結合する複数個の前記摘み部材用固着具４とから成る。また、実施形態では、棒状のキー本体２の中央部寄りの部位に外嵌合するトリガー部材８を介して摘み部材１の挿入孔５に棒状のキー本体２が嵌挿されている。なお、前記貫通孔６は、実施形態如何によっては、ロックボルト抜け防止用のメネジを有する。
【００１４】
（２）キー本体２の構成
ここで、図１１及び図１２を参照にして、まず棒状のキー本体２の構成を説明する。図１１はキー本体２の正面図を基準にした説明図、また図１２はキー本体２の左側面図である。図１１及び図１２で示すように、キー本体２は、複数の横溝（例えば４個）１６及び複数種類のキーコード（例えば大小の窪み１６ａ）を有する棒状先端部１２と、この棒状先端部１２に連続する大径中央部１３と、該大径中央部を基準とする後方側の棒状後端部１４と、この棒状後端部１４に連設する挿入後端部１５とから成り、前記挿入後端部１５は、前記棒状後端部１４よりも短径の周胴部１５ａと、該周胴部１５ａに連続すると共に周溝を有する短径の被係合部１５ｂと、該被係合部１５ｂに連続するフランジ１５ｃとを有する。
【００１５】
そして、前記棒状先端部１２には、その先端部分にやや小径の弾頭状或いは指先状のキー挿入補助突起１２ａが連続形成されている。付言すると、特に図示しないが、棒状先端部１２は軸方向に沿った縦断面の長さが位置によって変化する外形線（軸方向に凸所と凹所が繰返す意味）を有する中実棒状体であり、またキー挿入補助突起１２ａは、図１で示すように、先端部１２側の握り状先端よりも半径がさらに小さい挿入部分であり、上下の対角線方向の外面部位に深さが略同一の横溝１６が軸方向に形成されている（図１２参照）。なお、図１、図１１で示す小さな楕円形状に見える箇所が前記横溝１６内の外面に形成したキーコードとしての窪み１６ａであり、実施形態の棒状先端部１２は、窪み１６ａ以外に、前述した外形線（軸方向に凸所と凹所が繰返す意味）もキーコードとして用いることができる。
【００１６】
また前記大径中央部１３及び棒状後端部１４は、左右上下に突起部分１７、１８を有し、棒状後端部１４の＋形状の突起部分１８は、後述する内係合体の内周面に形成した＋形状の被係合部分に係合する。したがって、内係合体は軸方向に移動可能であるものの、棒状後端部１４の＋形状突起部分（係合部分）１８と不番の＋形状の被係合部分が一体的に係合していることから、キー本体２と共に共働回転する。
【００１７】
（３）摘み部材１の構成
摘み部材１は、例えば図３で示すように、一組の板状或いは皿状の摘み片１ａ、１ｂで構成されている。例えば下方の皿状摘み片１ａは前述した第１カバー体１ａに相当し、先端部の中央部に円形状の挿入孔５を形成する環状部分２０を有する。また皿状の内部に底壁面から突出しかつキー本体２の棒状後端部１４乃至挿入後端部１５を規制する枠状突起状部分２１を有する。なお、前記枠状突起状部分２１は、必ずしも枠状である必要はなく、要するに、キー本体２の棒状後端部１４乃至挿入後端部１５を規制する凹所２２，２３に対しての突起部分であれば、その形状如何は問わない。
【００１８】
しかして、前記枠状突起状部分２１の内側には、大小の収納凹所２２、２３が設けられ、これらの収納凹所２２、２３は円形状の挿入孔５に連通している。また前記枠状突起状部分２１のやや幅広後端部には、キー本体２の挿入後端部１５に対して直交する方向に横長の嵌合溝２４が前記収納凹所２２に連通するように形成され、さらに、好ましくは該嵌合溝２４よりも後方部位に垂直方向にロックボルト用の螺合穴２５が形成されている。加えて、下方の皿状摘み片（第１カバー体）１ａの後端部には、キーホルダー用の貫通状長孔２６が形成されている。また枠状突起状部分２１の外側と環状周壁の内部空間には、複数個の螺合筒２７が垂直方向に設けられ、該螺合筒２７には、図１で示した摘み部材用固着具４が螺合する。
【００１９】
また上方の摘み片１ｂは前述した第２カバー体１ｂに相当し、先端部側に複数個のネジ孔７，７及び後端部側にロックボルト３用の貫通孔６を有する。なお、特に図示しないが、突起状部分２１が実施形態の如く摘み片１ａの周端部に対して「枠状」であれば、摘み部材１にはトランスポータ等の電子部品を組み込むことができる。また、実施形態では枠状突起状部分２１の前記横長の嵌合溝２４の近傍にロックボルト用の螺合穴２５を形成しているが、ロックボルト３が貫通孔６から容易に抜けない構造であれば（例えばロックボルトの係止、ロックボルトの緊嵌入）、該螺合穴２５は必須要件ではない。
【００２０】
（４）キー本体用抜け止め部材３１の構成
図５はキー本体用抜け止め部材３１、キー本体２の挿入後端部１５、ロックボルト３を示す。実施形態のキー本体用抜け止め部材３１は、軸受け機能と、キー本体２を脱着する機能を有する。キー本体用抜け止め部材３１を以下単に「抜け止め部材３１」という。抜け止め部材３１は矩形状の板体の中央部（中央部寄りの部位も含む）を略直角に折り曲げて角度を有する形状とし、垂直板部分に相当する一方の板部分３１ａと、この一方の板部分３１ａの上端部に水平状態に連続する他方の板部分３１ｂとを有する。
【００２１】
しかして、前記一方の板部分３１ａには、挿入後端部１５のフランジ１５ｃを受け入れる大径孔３２及び該大径孔に連続し該挿入後端部１５のフランジ１５ｃの縁部分を係止する小径孔３３が形成され、一方、前記他方の板部分３１ｂの後端縁部には、半円形状の係止部分３４が切欠形成されている。抜け止め部材３１の一方の板部分３１ａは下方の皿状摘み片  （第１カバー体）１ａの嵌合溝２４よりも短く、該嵌合溝２４に案内されながら、例えば図５で示す矢印Ａ１又は矢印Ａ２方向に選択的に位置変位可能である。付言すると、キー本体２の挿入後端部１５に対する係止を解く場合には矢印Ａ１方向に、一方、前記挿入後端部１５を係止する場合には、該挿入後端部１５を大径孔３２に差込んだ状態で矢印Ａ２方向にそれぞれスライドさせる。したがって、キー本体２の挿入後端部１５の脱着は、図５で示す矢印Ｂ１又は矢印Ｂ２方向に選択的に移動させる。
【００２２】
（５）ロックボルト３
ロックボルト３は、例えばオネジであり、摘み部材１の第２カバー体１ｂの外壁面側から貫通孔６を介して抜け止め部材３１の半円形状係止部分３４にその頭部３ａとオネジ部３ｂのねじ込み終端部側に係合すると共に、摘み部材１の第１カバー体１ａの螺合穴２５にそのねじ込み始端部側が螺着する。
【００２３】
（６）キー本体を摘み部材から引き抜く場合
キー本体２を摘み部材１から引き抜く場合には、ロックボルト３を摘み部材１から取外し、キー本体用抜け止め部材３１をスライドさせて挿入後端部１５のフランジ１５ｃに大径孔３２に合わせる（図５、図６等参照）。
【００２４】
（７）キー本体を摘み部材に取付ける場合
キー本体２を摘み部材１に取付ける場合には、その挿入後端部１５のフランジ１５ｃから挿入孔５を介して摘み部材１に差込み、かつ前記フランジ１５ｃを抜け止め部材３１の大径孔３２に貫通させ、その状態で該抜け止め部材３１をスライドさせて挿入後端部１５のフランジ１５ｃの内周面を小径孔３３の縁部分に合わせ、ロックボルト３で抜け止め部材３１を係止すると共に該ロックボルト３を螺合穴２５に螺着する（図７、図８参照）。
【００２５】
（８）キーＸの全体の構成部材
図１３及び図１４は、キーＸを構成する主な部材を示す。キーＸは、摘み部材１と、摘み部材に所定位置で左右方向に回転自在に軸支されたキー本体２と、このキー本体に係合状態で外嵌合するトリガー部材８と、このトリガー部材の後端部に押圧され得るように前記キー本体２に外嵌合する内係合体４１と、前記キー本体の後端部１４に間隙を有して外嵌合する外係合体５０と、先端部がバネ端受けリング４６を介して前記内係合体４１のフランジ部分の内面に圧接し、一方、後端部が前記外係合体５０の前面と圧接する内係合体用の復帰バネ４７と、前記外係合体５０の後面を付勢する複数個の緩衝バネ５２と、前記緩衝バネ５２よりも後方に位置し、かつ、前記キー本体の挿入後端部１５を軸支すると共に、該挿入後端部１５を係止する方向又は係止を解く方向に位置変位可能な摘み部材に内装された抜け止め部材３１と、前記抜け止め部材をロックすることができるように摘み部材１の貫通孔又は螺合部のいずれかに螺着するロックボルト３とを備え、前記摘み部材１を持ってキー本体２を、図示しない錠前の鍵穴に差込んで行くと、トリガー部材８の先端面８ａが鍵穴の周囲に当たりながら該トリガー部材８及び内係合体４１が前記復帰バネ４７のバネ力に抗して後退し、内係合体４１が前記外係合体５０の係合孔５１にクラッチ状態に係合することを条件として摘み部材１とトリガー部材８とキー本体２がそれぞれ共働回転するように一体的に結合する。
【００２６】
このキーＸは、上記トリガー部材８、その後端面から先端面方向に向かって大小の入江状係合部分４２を有する内係合体４１、係合孔５１の内周面に凸所と凹所から成る係合部分を有する外係合体５０、内係合体４１用の復帰バネ４７を備えているので、キー挿入時、内係合体４１と外係合体５０の係合部分４２と被係合部分としての係合孔５１の位相が一致している場合には摘み部材１を回すことなく、そのまま押し込むだけで直ちに完全なクラッチ状態（摘み部材１を回さなくても良いパターン）になり、またキー挿入時、不完全なクラッチ状態となった場合（内係合体４１の被係合部分４２の幅広い入江部分と外係合体５０の係合孔５１の幅広い凹所が係合した場合）であっても、摘み部材１を左右方向のいずれかに若干回すだけで、施・解錠することが可能となり（摘み部材１を時計方向又は左右方向のいずれかに若干回すパターン）、さらに、より好ましくは、両者４１、５０の係合部分４２と被係合部分（実施形態では係合孔の凹所と凸所）５１の位相を完全に一致させるために摘み部材１を若干回して、不完全なクラッチ状態から直ちに完全なクラッチ状態させ（第３のパターン）、摘み部材を摘まんでキー本体を回転させることができる。
【００２７】
そして、例えば摘み部材１の外壁面側から上記ロックボルト３を回して取外し、また、摘み部材用固着具４を取外して第１カバー体１ａから第２カバー体１ｂを分離した後、図５で示すように、矢印Ａ１方向に抜け止め部材３１を移動させると、該抜け止め部材３１の大径孔３２からキー本体を引き抜くことができる。実施形態では、第１カバー体１ａから第２カバー体１ｂを分離しなくても、つまり、図９で示すように、図１に於いて、ロックボルト３を外した場合に於いて、摘み部材１の第２カバー体１ｂの外壁面側から貫通孔６を介して、かつ、図示しないバー状操作具を用い、抜け止め部材３１の係止を解く方向に直線的にスライドさせることにより、キー本体２を、図５で示す矢印Ｂ１方向へ引き抜くことができる。
【００２８】
（９）第２実施形態…抜け止め部材３１Ａ
図１５は、好ましい抜け止め部材３１Ａの第２実施形態の斜視図である。この抜け止め部材３１Ａは、他方の板部分３１ｂに形成された係止部分３４Ａは半円形状ではなく、略円形である。なお、特に図示しないが、円形状の係止部分３４Ａの左右部位に、例えば細かな間隔のスリットをキー本体２の抜脱方向に形成すると、前記スリットに図示しないバー状操作具の尖端部を嵌め合せることにより、抜け止め部材３１を図５で示す矢印Ａ１とＡ２方向に容易に移動させることができる。
【００２９】
（１０）キー本体２の後端部の断面形状
抜け止め部材３１の小径孔３３に支持されるキー本体の挿入後端部１５の周溝を有する被係合部１５のキー軸と直交する断面形状は多角形又は略円形のいずれかであり、望ましくは、キー本体２は抜け止め部材３１に回動可能に支持されている。もちろん、キー本体２は摘み部材１に回転不可能に設けられていても良い。
【００３０】
（１１）第３実施形態…ロックボルト等を特定要件としない
図１６乃至図２０は、本発明の第３実施形態を示す各説明図である。この第３実施形態の説明に当たって、第１実施形態と同一の部分には、同一又は同様の符号を付して重複する説明を割愛する。
【００３１】
この第３実施形態が第１実施形態と主に異なる事項は、第１カバー体１ａの突起状部分に嵌合溝２４に連通する付勢手段３５用の収納凹所３６を設けた点、第１カバー体１ａの周端部に相当する外壁面の適宜部位から嵌合溝２４まで至る筋状の差し込み溝３７が形成されている点、第１実施形態の如く、ロックボルト、ロックボルト用貫通孔、ロックボルト用螺合穴、ロックボルト用係止部分等を有しない点である。
【００３２】
しかして、第３実施形態の携帯型の錠前用キーＸ１は、挿入後端部にフランジを有するキー本体２と、先端部に前記挿入後端部１４を受け入れる挿入孔５及び内部の突起状部分２１に嵌合溝２４を有する摘み部材１と、前記挿入後端部１４のフランジ１５ｃを受け入れる大径孔３２及び該大径孔に連続し該挿入後端部のフランジ１５ｃを係止する小径孔３３とが形成され、かつ前記嵌合溝２４に嵌合した状態で位置変位可能な一方の板部分と該一方の板部分に連続する他方の板部分とから成るキー本体用抜け止め部３１と、前記キー本体用抜け止め部材３１を前記挿入後端部１４のフランジ１５ｃを係止する方向に常に付勢する付勢手段３５を備え、前記キー本体２を前記摘み部材１から引き抜く場合には、前記キー本体用抜け止め部材３１を前記付勢手段３５の付勢力に抗してスライドさせて前記挿入後端部１４のフランジ１５ｃを前記大径孔３２に合わせる。
【００３３】
そして、実施形態では、摘み部材１を分解することも可能であるが、摘み部材１を分解せずに、キー本体２を摘み部材１から引き抜く場合は、すなわち、キー本体用抜け止め部材を位置変位させる場合には、図２０（ａ）で示すように、細長い操作具３８を筋状の差し込み溝３７に差し込み、図２０（ｂ）で示すように、キー本体用抜け止め部材３１を付勢手段（例えば圧縮コイルバネ）３５の付勢力に抗してスライドさせて挿入後端部１４のフランジ１５ｃに大径孔３２に合わせる。そして、図１９で示す矢印Ｂ１方向にキー本体２を移動させる。
【００３４】
（１２）第４実施形態…摘み部材に取外し可能なロック板を設けた
図２１乃至図２４は、本発明の第４実施形態を示す各説明図である。この第４実施形態の説明に当たって、第１実施形態と同一の部分には、同一又は同様の符号を付して重複する説明を割愛する。
【００３５】
第４実施形態の携帯型の錠前用キーＸ２が第１実施形態のそれと主に異なる点は、第１実施形態のロックボルト３をロック板３Ａに変えた点、該ロック板３Ａは、例えば第２のカバー体１ｂの略中央部に形成した比較的大きな嵌合孔９に脱着可能に嵌合する点、したがって、該ロック板３Ａは第２のカバー体１ｂの外壁面の一部を構成している点、該ロック板３Ａの内壁面に第１実施形態のロックボルト３のオネジ部に相当する短い係合突起３ｂが設けられ、該結合突起３ｂは、例えばロック板３Ａの内壁面に一体形成されている点、ロック板３Ａを一体的に有する第２のカバー体１ｂを複数個の固着具４を介して第１のカバー体１ａに固定すると、又は第２のカバー体１ｂが第１のカバー体１ａに合体した状態で前記ロック板３Ａを前記嵌合孔９に嵌合すると(二つの態様の場合に)、前記ロック板３Ａの係合突起３ｂが、図２４で示すようにキー本体用抜け止め部材３１の係止部分３４に係合する点である。この第４実施形態では、係合突起３ｂを有するロック板３Ａを特定要件とすることから、第１実施形態の如く、第２のカバー体１ｂに貫通孔等を形成する必要がない。
【００３６】
ここで、図２３を参照にしてロック板３Ａと嵌合孔９の構成を説明すると、ロック板３Ａの形状は、例えば略円形なので、嵌合孔９の形状もそれに対応するように略円形に形成されている。したがって、ロック板３Ａの形状が多角形の場合には、嵌合孔９の形状も多角形に形成する。また略円形のロック板３Ａは、その周端部に複数個の切欠を介して弾性変位可能な複数の係合帯１０を有し、前記複数の係合帯１０は嵌合孔９に圧接状態に係合する。さらに、第２のカバー体１ｂの嵌合孔９の縁部分に図示しないドライバーの尖端が入り込む小さな切欠溝１１が形成されている。
【００３７】
それ故に、第４実施形態の携帯型の錠前用キーＸ２は、挿入後端部１５にフランジ１５ｃを有するキー本体２と、先端部に前記挿入後端部を受け入れる挿入孔５及び内部の突起状部分２１に嵌合溝２４を有する摘み部材１と、前記挿入後端部のフランジを受け入れる大径孔３２及び該大径孔に連続し該挿入後端部のフランジを係止する小径孔３３とが形成され、かつ前記嵌合溝に嵌合した状態で位置変位可能な一方の板部分３１ａと該一方の板部分に連続すると共に係止部分３４を有する他方の板部分３１ｂとから成るキー本体用抜け止め部材３１と、前記摘み部材１の外壁面の一部に設けられ、かつ前記係止部分３４に係合する係合突起３ｂを有する前記キー本体用抜け止め部材３１用のロック板３Ａを備え、前記キー本体２を前記摘み部材１から引き抜く場合には、前記ロック板３Ａを摘み部材１から取外して前記キー本体用抜け止め部材３１と前記ロック板３Ａとのロック状態を解消し、さらに、前記キー本体用抜け止め部材３１をスライドさせて前記挿入後端部１５のフランジ１５ｃを前記大径孔３２に合わせることを特徴とする。
【００３８】
（１３）第５実施形態……摘み部材にスライド可能なロック板を設けた
図２５乃至図２８は、本発明の第５実施形態を示す各説明図である。この第５実施形態の説明に当たって、第１実施形態と同一の部分には、同一又は同様の符号を付して重複する説明を割愛する。また、第４実施形態の要部（ロック板３Ａ）と同一又は同様の構成部分（ロック板３Ｂ）には同様の符号を付す。
【００３９】
第５実施形態の携帯型の錠前用キーＸ３が第１実施形態のそれと主に異なる点は、第１実施形態のロックボルト３をロック板３Ｂに変えた点、該ロック板３Ｂ  は、例えば第２のカバー体１ｂの略中央部に形成した比較的大きな切欠状嵌合孔９にスライド可能（脱着可能であっても良い）に設けられている点、したがって、該ロック板３Ｂは第２のカバー体１ｂの外壁面の一部を構成している点、該ロック板３Ｂのスライド水平板３ａ（第１実施形態のロックボルト３の頭部３ａに相当）の内面に垂直板状の係合突起３ｂ（第１実施形態のロックボルト３のオネジ部３ｂに相当）が設けられている点、ロック板３Ｂを一体的に有する第２のカバー体１ｂを複数個の固着具４を介して第１のカバー体１ａに固定すると、又は第２のカバー体１ｂが第１のカバー体１ａに合体した状態で前記ロック板３Ｂを閉じる方向（第１のカバー体１ａの先端部側）にスライドさせると、前記ロック板３Ｂの垂直板状の係合突起３ｂの先端部が、図２８で示すようにキー本体用抜け止め部材３１の係止部分３４に係合する点である。
【００４０】
この第５実施形態も第４実施形態と同様に、係合突起３ｂを有するロック板３Ｂを特定要件とすることから、第１実施形態の如く、第２のカバー体１ｂに貫通孔等を形成する必要がない。なお、ロック板３Ｂは直線状にスライド可能なので、切欠状嵌合孔９の形状はロック板３Ｂの形状に対応して矩形状の切欠となっている。そして、好ましくは前記切欠状嵌合孔９を形成する左右の対向縁部分には水平方向に一対の筋状ガイドレール９ａ、９ａを形成し、一方、ロック板３Ｂのスライド水平板３ａの左右端部に前記一対の筋状ガイドレール９ａ、９ａに圧接状態に係合するガイド突起３ｃ、３ｃを形成する。
【００４１】
それ故に、第５実施形態の携帯型の錠前用キーＸ３は、挿入後端部１５にフランジ１５ｃを有するキー本体２と、先端部に前記挿入後端部を受け入れる挿入孔５及び内部の突起状部分２１に嵌合溝２４を有する摘み部材１と、前記挿入後端部のフランジを受け入れる大径孔３２及び該大径孔に連続し該挿入後端部のフランジを係止する小径孔３３とが形成され、かつ前記嵌合溝に嵌合した状態で位置変位可能な一方の板部分３１ａと該一方の板部分に連続すると共に係止部分３４を有する他方の板部分３１ｂとから成るキー本体用抜け止め部材３１と、前記摘み部材１の外壁面の一部に設けられ、かつ前記係止部分３４に係合する係合突起３ｂを有する前記キー本体用抜け止め部材用のロック板３Ｂを備え、前記キー本体２を前記摘み部材１から引き抜く場合には、前記ロック板３Ｂを摘み部材１の後端部側にスライドさせて前記キー本体用抜け止め部材３１と前記ロック板３Ｂとのロック状態を解消し、さらに、前記キー本体用抜け止め部材３１をスライドさせて前記挿入後端部１５のフランジ１５ｃを前記大径孔３２に合わせることを特徴とする。
【００４２】
（１４）第６実施形態…一方のカバー体の内面に係合突起を設けた
さらに、図２９乃至図３１は本発明の第６実施形態を示す各説明図である。この第６実施形態の説明に当たって、第１実施形態と同一の部分には、同一又は同様の符号を付して重複する説明を割愛する。
【００４３】
第６実施形態の携帯型の錠前用キーＸ４が第１実施形態のそれと主に異なる点は、第２カバー体の内壁面に係合突起（第１実施形態のロックボルト３に相当）３ｂを設けたことである。したがって、携帯型の錠前用キーＸ４は、第１カバー体１ａと、該第１カバー体に一体的に固着具４を介して結合すると共に内壁面に係合突起３ｂを有する第２カバー体１ｂとから成り、かつ先端部に挿入孔５を有する摘み部材１と、この摘み部材に前記挿入孔５を介して差込まれ、挿入後端部１５にフランジ１５ｃを有するキー本体２と、前記摘み部材１に組み込まれ、かつ前記挿入後端部１５のフランジ１５ｃを受け入れる大径孔３２及び該大径孔に連続し該挿入後端部のフランジを係止する小径孔３３とが形成され、かつ前記摘み部材１の内部に形成された嵌合溝２４に嵌合した状態で位置変位可能な一方の板部分３１ａと該一方の板部分に連続すると共に前記係合突起３ｂと係合する係止部分３４を有する他方の板部分３１ｂとから成るキー本体用抜け止め部材３１とを備え、前記キー本体２を前記摘み部材１から引き抜く場合には、前記第２カバー体１ｂを前記第１カバー体１ａから分離して前記係止部分３４と前記係合突起３ｂとの係合状態を解消し、さらに、前記キー本体用抜け止め部材３１をスライドさせて前記挿入後端部１５のフランジ１５ｃを前記大径孔３２に合わせることを特徴とする。
【産業上の利用可能性】
【００４４】
本発明は、建具の錠前を施・解錠することができる携帯型の錠前用キーとして利用することができる。
【符号の説明】
【００４５】
Ｘ、Ｘ１、Ｘ２、Ｘ３、Ｘ４…携帯型の錠前用キー、
１…摘み部材、
２…キー本体、
３…ロックボルト、
３Ａ、３Ｂ…ロック板、
３ｂ…係合突起、
４…固着具、
５…挿入孔、６…貫通孔、
８…トリガー部材、
９…嵌合孔、
１０…複数の係合帯、
１４…キー後端部、
１５…挿入後端部、１５ｃ…フランジ、
２１…突起状部分、
２４…嵌合溝、
２５…螺合穴、
３１…キー本体用抜け止め部材、
３２…大径孔、
３３…小径孔、
３５…付勢手段、
３６…付勢手段用収納凹所、
３７…筋状の差し込み溝、
３１ａ…一方の板部分、３１ｂ…他方の板部分、
３４、３４Ａ…係止部分。
【図１】
2016084627.tif 000003
【図２】
2016084627.tif 000004
【図３】
2016084627.tif 000005
【図４】
2016084627.tif 000006
【図５】
2016084627.tif 000007
【図６】
2016084627.tif 000008
【図７】
2016084627.tif 000009
【図８】
2016084627.tif 000010
【図９】
2016084627.tif 000011
【図１０】
2016084627.tif 000012
【図１１】
2016084627.tif 000013
【図１２】
2016084627.tif 000014
【図１３】
2016084627.tif 000015
【図１４】
2016084627.tif 000016
【図１５】
2016084627.tif 000017
【図１６】
2016084627.tif 000018
【図１７】
2016084627.tif 000019
【図１８】
2016084627.tif 000020
【図１９】
2016084627.tif 000021
【図２０】
2016084627.tif 000022
【図２１】
2016084627.tif 000023
【図２２】
2016084627.tif 000024
【図２３】
2016084627.tif 000025
【図２４】
2016084627.tif 000026
【図２５】
2016084627.tif 000027
【図２６】
2016084627.tif 000028
【図２７】
2016084627.tif 000029
【図２８】
2016084627.tif 000030
【図２９】
2016084627.tif 000031
【図３０】
2016084627.tif 000032
【図３１】
2016084627.tif 000033